【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
データを管理するクライアントと、当該クライアントで管理されるデータを利用して機能を提供するサービスとを、ネットワークを介して中継する中継機能を備える情報処理端末であって、
前記中継機能による、前記サービスが提供する機能を呼び出すための機能情報の登録処理を実行する登録手段と、
ユーザより前記クライアントで管理される特定のデータに対する機能の呼び出しが指示された場合に、該呼び出しが指示された機能に対応するカテゴリに属する第１機能情報を、前記登録処理で登録された機能情報から特定する第１特定手段と、
前記特定のデータを、前記第１特定手段で特定された前記第１機能情報で処理可能なタイプに適合させるための機能を呼び出すための第２機能情報を、前記登録処理で登録された機能情報から特定する第２特定手段と、
前記特定された第２機能情報を用いて呼び出した機能により処理された前記特定のデータを、前記第１機能情報を用いて呼び出した機能で処理するための要求を行う要求手段と、
前記要求手段で要求した処理の処理結果を受信する受信手段と、
を有することを特徴とする情報処理端末。
【請求項２】
前記要求手段は、前記特定のデータを、前記第２機能情報を用いて呼び出す機能により処理するための要求を、該機能を提供するサービスに対して行い、さらに、前記第２機能情報を用いて呼び出した機能により処理された前記特定のデータを、前記第１機能情報を用いて呼び出す機能により処理するための要求を、該機能を提供するサービスに対して行うものであり、
前記受信手段は、前記第１機能情報を用いて呼び出した機能を提供するサービスから、処理結果を受信することを特徴とする請求項１に記載の情報処理端末。
【請求項３】
前記要求手段は、前記特定のデータを、前記第２機能情報を用いて呼び出す機能により処理するための要求、及び、前記第２機能情報を用いて呼び出す機能により処理された前記特定のデータを、前記第１機能情報を用いて呼び出す機能により処理するための要求を、前記第２機能情報を用いて呼び出す機能を提供するサービスに対して行うものであり、
前記受信手段は、前記第２機能情報を用いて呼び出した機能を提供するサービスから、処理結果を受信することを特徴とする請求項１に記載の情報処理端末。
【請求項４】
前記第１機能情報に連携する前記第２機能情報を一覧表示し、該一覧から利用する第２機能情報の指定をユーザから受け付ける指定手段を有し、
前記指定手段で受け付けた指定に従い、前記要求を行うことを特徴とする請求項１乃至３のいずれか１項に記載の情報処理端末。
【請求項５】
前記機能情報を用いて呼び出した機能による処理の処理結果を記憶する記憶手段を有し、
前記指定手段は、前記記憶手段にエラーの発生が記憶されている機能情報については、前記一覧に、過去にエラーが発生したことを示す情報を表示することを特徴とする請求項４に記載の情報処理端末。
【請求項６】
前記登録手段は、登録されている機能情報の利用回数又は利用頻度を記憶装置に記憶させるものでああり、
前記指定手段は、前記一覧を、利用回数又は利用頻度に応じた優先順に機能情報を表示することを特徴とする請求項４又は５に記載の情報処理端末。
【請求項７】
前記要求手段で要求した処理でエラーが発生した場合、前記指定手段は、再度、前記指定をユーザから受け付けることを特徴とする請求項４乃至６のいずれか１項に記載の情報処理端末。
【請求項８】
前記要求手段で要求した処理の処理結果を、前記機能情報を用いて呼び出した機能ごとに表示する表示手段を有することを特徴とする請求項１乃至７のいずれか１項に記載の情報処理端末。
【請求項９】
前記表示手段は、前記要求手段で要求した処理に成功した場合、前記特定のデータを前記第２機能情報を用いて呼び出した機能により処理完了した旨、及び、前記第２機能情報を用いて呼び出した機能により処理された前記特定のデータを前記第１機能情報を用いて呼び出した機能により処理完了した旨を表示することを特徴とする請求項８に記載の情報処理端末。
【請求項１０】
前記表示手段は、前記要求手段で要求した処理が前記第２機能情報を用いて呼び出した機能で処理に失敗した場合、前記特定のデータを前記第２機能情報を用いて呼び出した機能により処理することに失敗した旨、及び、前記特定のデータを前記第１機能情報を用いて呼び出す機能による処理を完了できなかった旨を表示することを特徴とする請求項８又は９に記載の情報処理端末。
【請求項１１】
前記ネットワークは、インターネットであることを特徴とする請求項１乃至１０のいずれか１項に記載の情報処理端末。
【請求項１２】
前記クライアント、前記サービス及び前記中継機能の少なくとも２つは、同じ装置で動作する機能であることを特徴とする請求項１乃至１１のいずれか１項に記載の情報処理端末。
【請求項１３】
前記カテゴリは、前記特定のデータの共有するカテゴリ、前記特定のデータの編集するカテゴリ、前記特定のデータの閲覧するカテゴリ、前記特定のデータを外部サービスから取得するカテゴリ、前記特定のデータの購読するカテゴリ、前記特定のデータの保存するカテゴリの少なくともいずれかを含むことを特徴とする請求項１乃至１２のいずれか１項に記載の情報処理端末。
【請求項１４】
前記中継機能は、前記情報処理端末のオペレーティングシステムまたはウェブブラウザの機能として提供されることを特徴とする請求項１乃至１３のいずれか１項に記載の情報処理端末。
【請求項１５】
前記カテゴリ及び前記特定のデータのタイプと利用された前記機能情報とを対応付けて設定する設定手段を有し、
前記要求手段は、前記設定手段により設定されたカテゴリ及びデータのタイプと同一のカテゴリ及びデータのタイプの処理を要求する場合には、該カテゴリ及びデータのタイプと対応付けされた機能情報を利用することを特徴とする請求項１乃至１４のいずれか１項に記載の情報処理端末。
【請求項１６】
データを管理するクライアントと、当該クライアントで管理されるデータを利用して機能を提供するサービスとを、ネットワークを介して中継する中継機能を備える情報処理端末の制御方法であって、
前記中継機能による、前記サービスが提供する機能を呼び出すための機能情報の登録処理を実行する登録ステップと、
ユーザより前記クライアントで管理される特定のデータに対する機能の呼び出しが指示された場合に、該呼び出しが指示された機能に対応するカテゴリに属する第１機能情報を、前記登録処理で登録された機能情報から特定する第１特定ステップと、
前記特定のデータを、前記第１特定ステップにおいて特定された前記第１機能情報で処理可能なタイプに適合させるための機能を呼び出すための第２機能情報を、前記登録処理で登録された機能情報から特定する第２特定ステップと、
前記特定された第２機能情報を用いて呼び出した機能により処理された前記特定のデータを、前記第１機能情報を用いて呼び出した機能で処理するための要求を行う要求ステップと、
前記要求ステップで要求した処理の処理結果を受信する受信ステップと、
を有することを特徴とする情報処理端末の制御方法。
【請求項１７】
コンピュータを、請求項１乃至１５のいずれか１項に記載の手段として機能させるためのプログラム。
【手続補正２】
【補正対象書類名】明細書
【補正対象項目名】０００９
【補正方法】変更
【補正の内容】
【０００９】
本発明は、データを管理するクライアントと、当該クライアントで管理されるデータを利用して機能を提供するサービスとを、ネットワークを介して中継する中継機能を備える情報処理端末であって、前記中継機能による、前記サービスが提供する機能を呼び出すための機能情報の登録処理を実行する登録手段と、ユーザより前記クライアントで管理される特定のデータに対する機能の呼び出しが指示された場合に、該呼び出しが指示された機能に対応するカテゴリに属する第１機能情報を、前記登録処理で登録された機能情報から特定する第１特定手段と、前記特定のデータを、前記第１特定手段で特定された前記第１機能情報で処理可能なタイプに適合させるための機能を呼び出すための第２機能情報を、前記登録処理で登録された機能情報から特定する第２特定手段と、前記特定された第２機能情報を用いて呼び出した機能により処理された前記特定のデータを、前記第１機能情報を用いて呼び出した機能で処理するための要求を行う要求手段と、前記要求手段で要求した処理の処理結果を受信する受信手段と、を有することを特徴とする。